(57)【要約】物品（１２）を受け取るための容積部分を画定するようにカートン（１１）に形成することができるブランク（１０）が提供される。カートン（１１）は、一端部の折り線（２０）でヒンジ式に連結されて形成された蓋（４０）であって、蓋をカートンの本体（５０）から分離させやすくするために弱め線（２９）を有する蓋（４０）を備える。容積部分は、物品（１２）と一緒に、且つ／又はその物品の間に氷又は他の物質を挿入することに対応することができ、蓋（４０）は、開位置と閉位置との間をヒンジ式に移動することができる。
2008509854.tif 000002
【特許請求の範囲】
【請求項１】
物品を受け取るための容積部分を内部に画定する本体と、折り線によって該本体にヒンジ式に連結され、それにより、前記容積部分を選択的に開閉できるようにする蓋とを備えるカートンであって、該蓋の、前記折り線と反対側の自由縁部の近傍の周縁部分が、前記本体に固定され、また、前記蓋の残り部分を前記本体から分離させやすくするために、弱め線が設けられ、それにより、該カートンを開くことができるようにしてある、カートン。
【請求項２】
前記カートンは、底面、上部、前部、後部、及び向き合わせて配置された側部を含むほぼ矩形の面を有する、請求項１に記載のカートン。
【請求項３】
各側部は、互いに固定された複数の部分側部パネルを含む、請求項２に記載のカートン。
【請求項４】
各側部の前記部分側部パネルは、それぞれの主パネルにヒンジ式に連結された底面、上部、前部及び後部の部分側部パネルを含む、請求項３に記載のカートン。
【請求項５】
前記蓋は、前記カートンの前記上部パネルの少なくとも前方部分を含み、且つ前記上部パネルの前縁部から下方に延出する部分前部パネルを有し、該部分前部パネルは、前記本体の前記主前部パネルの上方領域に重なり、且つ前記本体に接着される前記周縁部分を与える、請求項４に記載のカートン。
【請求項６】
接着剤線が、前記本体の前記前部パネルと前記蓋の前記部分前部パネルの前記周縁部分との間に前記カートンを横切って設けられ、前記弱め線は、前記接着剤線のすぐ上方に位置付けられる、請求項５に記載のカートン。
【請求項７】
前記弱め線は、離間配置された２本の穿孔線の間に画定されたジッパを備える、請求項６に記載のカートン。
【請求項８】
取り外し部分が設けられ、該取り外し部分上にデータが印刷される、請求項２に記載のカートン。
【請求項９】
前記取り外し部分は、前記蓋の前記周縁部分の固定されない部分の一側部に設けられる、請求項８に記載のカートン。
【請求項１０】
前記蓋と前記本体との間の前記ヒンジ蓋は、前記カートンの上側と後側との間の接合部を構成する、請求項２に記載のカートン。
【請求項１１】
前記ヒンジ折り線は、弱め手段を含み、それにより、前記蓋を完全に取り外しやすくしている、請求項１０に記載のカートン。
【請求項１２】
前記蓋は、前記カートンの前記側部の上方部分を含み、該上方部分は、さらなる弱め線によって前記側部内に画定される、請求項２に記載のカートン。
【請求項１３】
前記さらなる弱め線は、前記蓋と前記本体との間の前記ヒンジ折り線からある角度で下方に延び、次にほぼ水平に延び、それにより、それが前記蓋の前記部分前部パネル内の前記弱め線とほぼ整合した状態になるようにした、請求項１２に記載のカートン。
【請求項１４】
各さらなる弱め線の前記水平部分は、離間配置された２本の穿孔線の間に画定されたジッパを備える、請求項１２に記載のカートン。
【請求項１５】
前記前部の部分側部パネル及び前記後部の部分側部パネルの一部が、前記さらなる弱め線の上方に突出する、請求項１２に記載のカートン。
【請求項１６】
前記上方部分の各々は、前記上部の部分側部パネルの、前記上部パネルとの間の前記ヒンジに隣接した前記上部分を含む、請求項１２に記載のカートン。
【請求項１７】
前記上方部分の各々はまた、前記前部の部分側部パネルの、前記前部パネルとの間の前記ヒンジから離れた位置の上隅部分を含む、請求項１２に記載のカートン。
【請求項１８】
前記物品は、前記カートンの前記底面パネル上に底端部を載せて配置された缶である、請求項１に記載のカートン。
【発明の詳細な説明】
【技術分野】
【０００１】
本発明は、ヒンジ式連結蓋を有するカートンに関する。そのようなカートンは特に、飲料缶等の缶に適するがそれに限定されず、蓋を開くことにより缶を取り出すことができるとともに、氷をカートン内の缶の間の空間に容易に挿入することができる。
【発明の開示】
【課題を解決するための手段】
【０００２】
本発明によれば、物品を受け取るための容積部分を内部に画定する本体と、折り線によって本体にヒンジ式に連結され、それにより、容積部分を選択的に開閉できるようにする蓋とを備えるカートンであって、蓋の、折り線と反対側の自由縁部の近傍の周縁部分が、本体に固定され、また、蓋の残り部分を本体から分離させやすくするために、弱め線が設けられ、それにより、当該カートンを開くことができるようにしてある、カートンが提供される。
【０００３】
本カートンは、底面、上部、前部、後部、及び向き合わせて配置された側部を含むほぼ矩形の面を有し、また各側部は、互いに固定された複数の部分側部パネルを含むことができる。一部の実施形態では、各側部の部分側部パネルは、それぞれの主パネルにヒンジ式に連結された底面、上部、前部及び後部の部分側部パネルを含む。
【０００４】
蓋は、カートンの上部パネルの少なくとも前方部分を含むことができ、また上部パネルの前縁部から下方に延びる部分前部パネルを有することができる。部分前部パネルは、本体の主前部パネルの上方領域にほぼ重なり、且つ本体に接着される周縁部分を与える。好都合には、接着剤線が、本体の前部パネルと蓋の部分前部パネルの周縁部分との間にカートンを横切って設けられ、弱め線は、接着剤線のすぐ上方に位置付けられる。
【０００５】
蓋及び本体間のヒンジ蓋は、カートンの上側と後側との間の接合部を構成することができる。一部の実施形態では、ヒンジ折り線が弱め手段を含み、それにより、蓋を完全に取り外しやすくしている。
【０００６】
一部の構造では、蓋は、カートンの側部の上方部分を含み、上方部分は、さらなる弱め線によって側部内に画定される。これらの実施形態では、さらなる弱め線は、蓋と本体との間のヒンジ折り線から斜め（ある角度で）下方に延び、次にほぼ水平に延び、それにより、それを蓋の部分前部パネル内の弱め線とほぼ整合した状態にすることができる。前部の部分側部パネル及び後部の部分側部パネルの一部が、さらなる弱め線の上方に突出することができる。
【０００７】
通常、上方部分の各々は、上部の部分側部パネルの、上部パネルとの間のヒンジに隣接した上部分を含み、さらに上方部分の各々は、前部の部分側部パネルの、前部パネルとの間のヒンジから離れた位置の上隅部分も含む。
【０００８】
物品は、カートンの底面パネル上に底端部を載せて配置された缶である。
【０００９】
次に、本発明の実施形態をさらに詳細に説明する。説明は、添付図面を参照する。
【発明を実施するための最良の形態】
【００１０】
［詳細な説明］
図１〜図６には、カートン１１を作製するための板紙ブランク１０が示されている。使用の際に、カートン１１は、本例では多数の飲料缶１２を収容する。図示する特定の実施形態では、１０本の缶１２が、５缶ずつ２列にして設けられているが、他の本数及び配列にも簡単な修正で適応することができる。
【００１１】
ブランク１０は、主前部パネル１３、底面１４、後部パネル１５、上部パネル１６及び部分前部パネル１７を備え、これらはすべて、一連の平行な折り線１８、１９、２０及び２１によって互いにヒンジ式に連結されている。パネル１３〜１７の各々は、各端部でそれぞれ部分側部パネル２２〜２６にヒンジ式に連結されている。
【００１２】
主前部パネル１３を横切って接着線２７が示され、それにより、パネル１３〜１６を折り曲げて矩形スリーブにしたとき、部分前部パネル１７が、主パネル１３の、折り線１８から遠い部分に重なり、また、部分前部パネル１７の周縁部分２８が、接着線２７に固定される。部分パネル１７の周縁部分２８は、ミシン目又は整列離間切れ目等の弱め線２９によって残り部分から画定される。
【００１３】
上部の部分側部パネル２５の各々には、たとえばミシン目又は整列離間切れ目を使用して、さらなる弱め線３０が設けられ、それにより、上方部分及び下方部分３１、３２が画定される。その線は、折り線２０の領域から斜めに（ある角度で）延び、次にほぼ水平に自由縁部まで進む。また、前部の部分側部パネル２２の最上隅部分３３が、ミシン目又は整列離間切れ目等のさらなる弱め線３４によって画定され、この弱め線３４は、前部パネル１３との間のヒンジから離れた位置にある。
【００１４】
主パネルを缶１２の周囲のスリーブとして形成した（スリーブを缶の周囲に形成するか、又は缶を形成済みスリーブ内に挿入するかのいずれでもよい）後、部分側部パネル２２〜２６を折り込んで、互いに固定することができる。この結果、図２に示す完全閉鎖型組み立てカートンになる。缶１２に手が届くようにするために、図３に示すように、部分前部パネル１７の周縁部分２８を一端部から引っ張る。これにより、周縁部分２８が弱め線２９に沿って分離し、且つ接着剤線２７の接着結合に打ち勝つことができる。周縁部分２８を完全に取り除けば、部分前部パネル１７の残りを、上部パネル１６及び部分側部パネル２５の上方部分３１とともに、折り線２０を中心にしてヒンジ式に移動させることができ、したがって、さらなる弱め線３０、３４を切り離すことができる。この時、カートン１０は事実上、蓋４０と本体５０とを有し、蓋４０は、図４及び図５に示されているように、折り線２０を中心にしたヒンジ式の連結により、本体５０に対して開閉可能である（カートン１１の内部構造をより明らかに示すために、図４では缶が省略されている）。
【００１５】
図５に示すようにカートン１１を開くと、缶１２を取り出すことができるか、又は、缶１２を冷やすために、カートンの本体５０に、したがって缶１２の間の空間に氷を追加することができる。次に、缶１２を取り出すか、さらなる氷を追加しようとするまで、蓋４０を再び閉じることができる。折り線２０に沿って切り離すことにより、蓋４０を本体から完全に取り除くこともでき、完全に取り除きやすくするために、折り線が弱め部を含んでもよい。
【００１６】
図示する実施形態では、全高の主前部パネル１３及び前部の部分側部パネル２２の残った上方部分３５が、蓋４０を最初に開けた後に閉じるとき、蓋４０の前部分を保持するとともに支持する。また、前部の部分側部パネル２２及び後部の部分側部パネル２４の上方部分３６、３７が、（組み立て中に折り曲げられて最後に接着された）上部の部分側部パネル２５の上方に突出していることが分かる。これらの部分３６、３７は再び、蓋４０を最初に開けた後に閉じるとき、蓋４０の側部を支持し、これにより、最初に開けた後のパックの完全性が高まる。
【００１７】
図７に示すブランク６０では、多くの特徴が図１のブランクに示したものと同じであり、そのため、それらには同様の参照符号を付けて示す。主な違いは、蓋４０と本体５０との間の弱め線２９、３０の領域にある。ブランク６０内の前弱め線２９は、周縁部分２８を主前部パネル１３に結合する接着剤の上方に設けられた１対の平行な弱め線６１を含み、その間に一般的に既知のタイプの板紙ジッパ６２を画定している。同様に、側部弱め線３０の一部も、間隔をおいた弱め線６６によって構成され、それにより、側部ジッパ６７を画定している。これらの側部ジッパ６７は、所望ならば弱め線３０の全長に延在することもできる。前部蓋パネル１７の一方側且つジッパ６２の一端部に、取り外し部分６３が設けられている。理想的には、穿孔弱め線６４によって容易に切り離すことができる取り外し部分６３に製品バーコードを印刷する。取り外した後、その部分６３をレジ係又は精算員に手渡して走査してもらい、それにより、おそらく重いカートンを持ち上げて運ぶ必要がなくなる。取り外し部分６３が誤って取り外された場合、その部分６３の除去後でも、バーコード６５又は他のデータ手段がパックの前部に残る。
【００１８】
取り外し部分６３は、任意の形状及び寸法であることができ、必ずしも前部ジッパ６２の一端部ではなく、カートンのどこにでも設けられるであろう。しかしながら、図示するとともに説明した特定の場所は、パックを開いたときに余る板紙の小片であり、したがって将来の蓋の開閉を妨害しないので、適当である。理想的には、接着剤線２７は、取り外し部分６３と主前部パネル１３との間には延在していない。
【００１９】
蓋４０のヒンジが、後部パネル１５及び上部パネル１６間の折り線２０と一致するように示されているが、カートン１１上の別の適当な場所に形成された折り目へヒンジを移動させることができることが理解されるであろう。一例では、ヒンジを途中まで上部パネル１６に沿って、又は後部パネル１５から少し下がった位置に設けることさえできるであろう。当然ながら、さらなる弱め線に適切な修正を加えることも必要であろう。また、カートン自体を矩形にする必要はなく、他の形状も考えられるであろう。
【図面の簡単な説明】
【００２０】
【図１】本発明によるカートンを作製するためのブランクを示す図である。
【図２】組み立てたカートンの斜視図である。
【図３】開けられている途中の図２のカートンの斜視図である。
【図４】完全に開けられた状態にある図３のカートンの斜視図である。
【図５】すべての物品を取り除いた状態の図４のカートンの斜視図である。
【図６】蓋を完全に取り除いた状態の図４のカートンの斜視図である。
【図７】本発明による別のカートンを作製するための代替のブランクを示す図である。
【図１】
2008509854.tif 000003
【図２】
2008509854.tif 000004
【図３】
2008509854.tif 000005
【図４】
2008509854.tif 000006
【図５】
2008509854.tif 000007
【図６】
2008509854.tif 000008
【図７】
2008509854.tif 000009
【国際調査報告】
2008509854.tif 000010
2008509854.tif 000011
2008509854.tif 000012